(57)【要約】【課題】自動で最適な中継局のチャンネルを設定することにより、テレビのチャンネル設定を最適にすることができ、良好なテレビ視聴を可能にすることができる携帯用テレビジョン放送受信機を提供することである。【解決手段】本発明は、テレビジョン放送受信手段１、２、３、７、８と、ＧＰＳ測位手段５、６と、前記ＧＰＳ測位手段によって測位した現在位置データに基づいて前記テレビジョン放送受信手段４を制御する制御手段とを備えたことを特徴とする。【選択図】図１
2009177500.tif 000002
【特許請求の範囲】
【請求項１】
テレビジョン放送受信手段と、ＧＰＳ測位手段と、前記ＧＰＳ測位手段によって測位した現在位置データに基づいて前記テレビジョン放送受信手段を制御する制御手段とを備えたことを特徴とする携帯用テレビジョン放送受信機。
【請求項２】
前記制御手段が、前記現在位置データに基づいて前記テレビジョン放送受信手段の受信チャンネル設定を自動的に行うことを特徴とする請求項１に記載の携帯用テレビジョン放送受信機。
【請求項３】
テレビ中継局の位置データを備え、
前記制御手段が、前記テレビ中継局の位置データと前記現在位置データとを比較し、現在位置において受信に最適な中継局を選択することを特徴とする請求項２に記載の携帯用テレビジョン放送受信機。
【請求項４】
テレビ中継局の送信出力データを備え、
前記受信に最適な中継局の選択時に、前記送信出力データに基づき、受信に最適な中継局を選択することを特徴とする請求項３に記載の携帯用テレビジョン放送受信機。
【請求項５】
ＧＰＳ測位手段によって測位した現在位置データに基づいてテレビジョン放送受信手段を制御することを備えたことを特徴とする携帯用テレビジョン放送受信機の制御方法。
【請求項６】
前記現在位置データに基づいて前記テレビジョン放送受信手段の受信チャンネル設定を自動的に行うことを特徴とする請求項５に記載の携帯用テレビジョン放送受信機の制御方法。
【発明の詳細な説明】
【技術分野】
【０００１】
本発明は、携帯用テレビジョン放送受信機に関し、特に、地上波ワンセグテレビ機能およびＧＰＳ機能を持ったたとえば携帯電話機などの携帯用テレビジョン放送受信機に関する。
【背景技術】
【０００２】
現在、テレビ放送は、アナログ波からデジタル波への移行が進んでおり、２０１１年にはアナログ波は停止し、以降はデジタル波のみとなる。そのため、各地でデジタル化が進んでおり、デジタル用テレビジョン放送受信機を用意すれば、その地域で放送されているチャンネルに合わせることによりデジタルテレビ放送を視聴することができる。
【０００３】
また、デジタルテレビ放送は、携帯用テレビ向けのデータも用意されており、デジタル放送の一部（ワンセグメント）を使用するため、ワンセグと呼ばれている。
【０００４】
従来の携帯用テレビジョン放送受信機の構成図を図４に示す。
【０００５】
従来の携帯用テレビジョン放送受信機は、テレビ（以下「ＴＶ」とも言う）用アンテナ１と、ＴＶチューナ２と、復調回路３と、制御回路４と、表示部７と、スピーカ８と、プリセットチャンネルデータ１０とを有して構成されている。
【０００６】
まず、この受信機においてＴＶを起動すると、設定されたチャンネルデータが制御回路４からチューナ２へと送られ、チューナ２は設定されたチャンネルの受信周波数帯が受信できるようになる。
【０００７】
ＴＶ用アンテナ１で受信された受信波は、チューナ２により、受信可能なチャンネルを受信し、ベースバンドにダウンコンバートし、ＴＳ信号を復調回路３に出力する。復調回路３では、ＴＳ信号を映像信号および音声信号に変換し、映像信号および音声信号をそれぞれ表示部７およびスピーカ８に出力し、ＴＶ視聴ができるようになる。
【０００８】
なお、テレビのチャンネル設定は、たとえば、制御回路４に都道府県別チャンネルデータ１０ｂが、都道府県別に用意されており、最初に都道府県を選択することにより、チャンネル設定が自動的に行われるように構成されている。
【０００９】
なお、特許文献１には、テレビジョン放送受信機能およびＧＰＳ機能を搭載した携帯受信機が開示されている。この受信機によれば、ＧＰＳ機能によって得た現在位置情報により、現在位置においてテレビ放送を視聴するのに障害となっている周辺環境を提示することができるようにしている。
【００１０】
【特許文献１】特開２００６−１３９８４号公報
【発明の開示】
【発明が解決しようとする課題】
【００１１】
上述の従来例では以下のような問題があった。
【００１２】
すなわち、家庭用の据え置き型のテレビジョン放送受信機の場合、引っ越しでもしない限り受信機が移動することがないので、最初に都道府県を選択すれば、そのまま最適な放送局の放送を受信し、視聴することができる。しかしながら、携帯用テレビジョン放送受信機の場合、携帯型であるがゆえに、利用者とともに移動し、その移動とともにその地域で受信可能な放送局も変わり、放送の受信、視聴がうまくできないという問題があった。
【００１３】
移動先で問題なく放送の受信、視聴を行うためには、移動先において現在位置の都道府県等の情報を選択しなおす必要があり、面倒であるという問題があった。この点は特許文献１にあっても同様である。
【００１４】
また、単に都道府県を選択しただけではうまく受信できない場合もある。この点について図３を参照しながら説明する。
【００１５】
図３は、中継局別チャンネルデータであって、現在の埼玉県と群馬県のテレビジョン放送でのチャンネル構成を示す図である。
【００１６】
図３を参照すると、さいたま市辺りでは、東京タワーからの電波を受信するため、東京の設定となる。また、深谷辺りでは、東京タワーの電波が届かず、秩父局もしくは児玉局を選択する必要がある。さらに、群馬県に近い本庄辺りでは、児玉局もしくは前橋局を選択する必要がある。
【００１７】
このように、同一県内に中継局がいくつかある場合は、正しい都道府県を選択しても、チャンネルが異なるため、テレビジョン放送を受信することができない問題があった。
【００１８】
また、県境に近い場合には、現在の県をカバーしている中継局よりも、隣県の中継局の受信波の方が受信状態が良好な場合もあるが、都道府県情報でチャンネルを設定してしまうため、良好な視聴特性が得られない問題があった。
【００１９】
また、出張先や旅行先では、テレビのチャンネル配置が分からないため、何処の中継局を選択したらよいのかが分からず、携帯テレビを視聴することができない場合もあった。
【００２０】
本発明は上記の点にかんがみてなされたもので、自動で最適な中継局のチャンネルを設定することにより、テレビのチャンネル設定を最適にすることができ、良好なテレビ視聴を可能にすることができる携帯用テレビジョン放送受信機を提供することを目的とする。
【課題を解決するための手段】
【００２１】
上記課題を解決するにあたり、本発明は、テレビジョン放送受信手段と、ＧＰＳ測位手段と、前記ＧＰＳ測位手段によって測位した現在位置データに基づいて前記テレビジョン放送受信手段を制御する制御手段とを備えたことを特徴とする。
【００２２】
また本発明は請求項１に記載の発明において、前記制御手段が、前記現在位置データに基づいて前記テレビジョン放送受信手段の受信チャンネル設定を自動的に行うことを特徴とする。
【００２３】
また本発明は請求項２に記載の発明において、テレビ中継局の位置データを備え、前記制御手段が、前記テレビ中継局の位置データと前記現在位置データとを比較し、現在位置において受信に最適な中継局を選択することを特徴とする。
【００２４】
また本発明は請求項３に記載の発明において、テレビ中継局の送信出力データを備え、
前記受信に最適な中継局の選択時に、前記送信出力データに基づき、受信に最適な中継局を選択することを特徴とする。
【発明の効果】
【００２５】
本発明によれば、テレビのチャンネルスキャン時にＧＰＳ機能から現在位置を割り出し、最適な中継局のチャンネルを設定することにより、テレビのチャンネル設定を最適にすることができ、良好なテレビ視聴を可能にすることができる携帯用テレビジョン放送受信機を提供することができる。
【００２６】
本発明の携帯用テレビジョン放送受信機によれば、テレビを視聴する地域によりチャンネル設定が自動的に変わるため、視聴場所のチャンネル設定や適切な中継局が分からなくてもテレビを視聴することが可能となる。
【発明を実施するための最良の形態】
【００２７】
以下、本発明の実施の形態について図面を参照して詳細に説明する。
【００２８】
図１は、本発明による携帯用テレビジョン放送受信機の一実施の形態を示すブロック図である。
【００２９】
本実施の形態の携帯用テレビジョン放送受信機は、ＴＶ用アンテナ１と、ＴＶチューナ２と、復調回路３と、制御回路４と、ＧＰＳ用アンテナ５と、ＧＰＳ回路部６と、表示部７と、スピーカ８と、テレビジョン放送の中継局の位置を登録した中継局位置データ９と、プリセット中継局チャンネルデータ１０ａとを有して構成されている。
【００３０】
まず、この受信機においてＴＶを起動すると、設定されたＴＶのチャンネルデータが、制御回路４からチューナ２へと送られ、チューナ２は設定されたチャンネルの受信周波数帯が受信できるようになる。
【００３１】
ＴＶ用アンテナ１で受信された受信波は、チューナ２により、受信可能なチャンネルを受信し、ベースバンドにダウンコンバートし、ＴＳ信号を復調回路３に出力する。
【００３２】
復調回路３では、ＴＳ信号を映像信号および音声信号に変換し、映像信号および音声信号をそれぞれ表示部７およびスピーカ８に出力し、ＴＶ視聴ができるようになる。
【００３３】
ここで、ＴＶの受信波が受信できない場合には、制御回路４からＧＰＳ回路部６に信号が送られ、ＧＰＳ機能が起動し、ＧＰＳ用アンテナ５を用いて現在位置の測位を行う。
【００３４】
現在位置の測位が終了すると制御回路４に現在位置を出力し、制御回路４では、現在位置を中継局位置データ９と比較し、現在位置に近い中継局を選択する。制御回路４は、その中継局のチャンネルデータ１０ａを用い、チューナ２を制御する。
【００３５】
図２は、本実施の形態における中継局選択処理のフローチャートを示す図である。
【００３６】
まず、本実施の形態の携帯用テレビジョン放送受信機において、ＴＶを起動する（Ａ−１）と受信チャンネルの受信を開始する。
【００３７】
受信ができれば（Ａ−２：Ｙｅｓ）そのまま視聴できるようになる（Ａ−７）。
【００３８】
受信ができない場合（Ａ−２：Ｎｏ）には、ＧＰＳ機能を起動し、現在位置の位置検出を行う（Ａ−３）。
【００３９】
現在位置のデータと中継局位置データ９とを制御回路４が比較し、一番近い中継局を選択する（Ａ−４）。
【００４０】
続いて、選択された中継局のプリセットチャンネルデータ１０ａを用いて制御回路４内のチャンネルデータを書き換え、チューナ２の受信チャンネルを設定する（Ａ−５）。
【００４１】
ここで受信ができれば（Ａ−６：Ｙｅｓ）視聴開始（Ａ−７）となるが、ここでも視聴不可の場合（Ａ−６：Ｎｏ）には、中継局選択で２番目に近い中継局を選択し（Ａ−２）、その中継局の中継局チャンネルデータ１０ａを用いて制御回路４内のチャンネルデータを書き換え、チューナの受信チャンネルを変更する（Ａ−５）。
【００４２】
この様にすることにより、受信チャンネルが分からなくても、ＧＰＳ機能を用い、位置を検出することによりテレビの視聴が可能となる。
【００４３】
なお、中継局は、ある程度カバーエリアが決まっているため、送信出力に違いがある。そのため、各中継局の送信出力のデータをあらかじめ記憶しておき、中継局の出力レベルに応じた重み付けを行うことにより、中継局からの距離だけではなく、送信出力をまで考慮した、中継局の選択が可能となる。
【００４４】
本発明によれば、テレビのチャンネルスキャン時にＧＰＳ機能から現在位置を割り出し、最適な中継局のチャンネルを設定することにより、テレビのチャンネル設定を最適にすることができ、良好なテレビ視聴を可能にすることができる携帯用テレビジョン放送受信機を提供することができる。
【００４５】
本発明の携帯用テレビジョン放送受信機によれば、テレビを視聴する地域によりチャンネル設定が自動的に変わるため、視聴場所のチャンネル設定や適切な中継局が分からなくてもテレビを視聴することが可能となる。
【図面の簡単な説明】
【００４６】
【図１】本発明による携帯用テレビジョン放送受信機の一実施の形態を示すブロック図である。
【図２】本発明による携帯用テレビジョン放送受信機の一実施の形態における中継局選択処理のフローチャートを示す図である。
【図３】中継局別チャンネルデータであって、現在の埼玉県と群馬県のテレビジョン放送でのチャンネル構成を示す図である。
【図４】従来の携帯用テレビジョン放送受信機の構成を示すブロック図である。
【符号の説明】
【００４７】
１  ＴＶ用アンテナ
２  チューナモジュール
３  復調回路部
４  制御回路
５  ＧＰＳアンテナ
６  ＧＰＳ回路部
７  表示部
８  スピーカ
９  中継局位置データ
１０ａ  プリセット中継局チャンネルデータ
１０ｂ  都道府県別チャンネルデータ
【図１】
2009177500.tif 000003
【図２】
2009177500.tif 000004
【図３】
2009177500.tif 000005
【図４】
2009177500.tif 000006